(57)【要約】【課題】ユーザの利便性および視認性を大きく損なうことなく消費電力を低減する。【解決手段】スマートフォン１００は、複数の画像が切り替えて表示される画像領域の位置およびサイズの少なくともいずれかを検出する画像領域特定部２４と、上記検出された位置およびサイズの少なくともいずれかに応じて、画像を切り替える頻度を調整する頻度調整部２５と、上記調整された頻度で画像を切り替えて上記画像領域に表示させる表示制御部２６とを備える。【選択図】図１
2014032328.tif 000002
【特許請求の範囲】
【請求項１】
複数の画像を同一の画像領域において切り替えて表示部の表示領域に表示する表示装置であって、
上記表示領域における上記画像領域の位置およびサイズの少なくともいずれかを検出する検出手段と、
上記検出された位置およびサイズの少なくともいずれかに応じて、上記画像を切り替える頻度を調整する頻度調整手段と、
上記調整された頻度で上記画像を切り替えて上記画像領域に表示させる表示制御手段とを備えることを特徴とする表示装置。
【請求項２】
上記頻度調整手段は、上記検出手段によって検出された位置およびサイズから、
上記画像領域が、上記表示領域を分割して得られる複数の区画のうちの少なくとも１つの所定の有効区画に含まれるか否かを判定し、上記画像領域が上記有効区画に含まれないと判定したとき、上記頻度を低下させることを特徴とする請求項１に記載の表示装置。
【請求項３】
上記頻度調整手段は、上記検出手段によって検出された位置およびサイズから、
上記画像領域が、上記表示領域を分割して得られる複数の区画のうちの少なくとも１つの所定の無効区画に含まれるか否かを判定し、上記画像領域が上記無効区画に含まれると判定したとき、上記頻度を低下させることを特徴とする請求項１に記載の表示装置。
【請求項４】
上記頻度調整手段は、上記検出手段によって検出された位置およびサイズから、上記画像領域の全部が上記表示領域に含まれる状態にあるか否かを判定し、上記画像領域の全部が上記表示領域に含まれる状態にないと判定したとき、上記頻度を低下させることを特徴とする請求項１に記載の表示装置。
【請求項５】
上記頻度調整手段は、上記検出手段によって検出された位置およびサイズから、上記画像を表示するアプリケーションにおける所定の有効領域に上記画像領域が含まれるか否かを判定し、当該有効領域に上記画像領域が含まれないと判定したとき、上記頻度を低下させることを特徴とする請求項１に記載の表示装置。
【請求項６】
上記頻度調整手段は、上記検出手段によって検出された位置およびサイズから、上記画像を表示するアプリケーションにおける所定の無効領域に上記画像領域が含まれるか否かを判定し、当該無効領域に上記画像領域が含まれると判定したとき、上記頻度を低下させることを特徴とする請求項１に記載の表示装置。
【請求項７】
ユーザの操作を受け付ける操作部をさらに備え、
上記頻度調整手段は、上記画像が上記画像領域に表示されてから上記操作部にて上記操作を所定期間受け付けないとき、上記頻度を低下させることを特徴とする請求項１から６のいずれか１項に記載の表示装置。
【請求項８】
上記頻度調整手段は、上記画像を表示するアプリケーションにおいて、上記画像が表示されてから所定時間が経過したとき、上記頻度を低下させることを特徴とする請求項１から７のいずれか１項に記載の表示装置。
【請求項９】
複数の画像を同一の画像領域において切り替えて表示部の表示領域に表示する表示装置の制御方法であって、
上記表示領域における上記画像領域の位置およびサイズの少なくともいずれかを検出する検出ステップと、
上記検出された位置およびサイズの少なくともいずれかに応じて、上記画像を切り替える頻度を調整する頻度調整ステップと、
上記調整された頻度で上記画像を切り替えて上記画像領域に表示させる表示制御ステップとを含むことを特徴とする表示装置の制御方法。
【請求項１０】
請求項１から８のいずれか１項に記載の表示装置の上記各手段としてコンピュータを機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、表示部の画面上において所定の頻度で複数の画像を切り替えて表示する機能を有する表示装置等に関する。
【背景技術】
【０００２】
近年のスマートフォン等の携帯情報処理端末は薄型化が進み、十分な電池容量の確保が困難になっている。一方で、ユーザからの長時間連続使用の要望は強く、携帯情報処理端末の省電力化が大きな課題となっている。
【０００３】
しかしながら、携帯情報処理端末上で動作するアプリケーションの処理の複雑化が進んでおり、さらに、ユーザインタフェース、アイコン、絵文字、広告等の画像表示における視覚的効果の重要性が近年ますます高まっている。これらはいずれも、ソフトウェアおよびハードウェア処理の複雑化を伴い、すなわち、携帯情報処理端末の消費電力の増加の要因となるものである。
【０００４】
ここで、上記の２つの要因のうち、画像表示における視覚的効果に着目する。上記視覚的効果としては、デザイン性やユーザの注意喚起のために、点滅、マーキー等で、画面の一部に表示される画像を定期的に更新し続けるものが一般に用いられている。
【０００５】
また、近年のウェブサイトでは、JavaScript（登録商標）によってアニメーション化された広告やＧｉｆ（Graphic Interchange Format）アニメ等で、画面の一部の表示画像が繰り返し更新される表示態様も一般的である。
【０００６】
このような定期的な・繰り返しの表示内容の更新は、ユーザにとって必ずしも常に価値のあるものではない場合も多い。例えば、ウェブページで新聞記事を読む場合に、画面の隅で広告が画像の更新表示を繰り返していても、ユーザは記事に集中しているので、このような画像の更新表示はユーザにとって重要度が低いと言える。
【０００７】
このような、ユーザにとって意味の低い画面更新によって電力消費が発生することは無駄であり、好ましくない。さらに、画面更新のメカニズムによっては、上記のような画面の一部の情報にのみ変更がある場合でも、画面全体の更新処理が実行されてしまい、ユーザには一見軽微な画面変更に見えるにも関わらず、電力消費が大きいという状況が起こり得る。
【０００８】
画面の更新を低減・抑止する技術として、特許文献１には、画面の一部分のみで表示を行うパーシャル表示中において、非表示領域とする画素を選択しているときには信号線駆動回路の動作を停止し、信号線駆動回路からは非表示信号を出力する構成が開示されている。
【０００９】
また、特許文献２には、監視制御端末からの更新問合せに応じて、前回配信したデータから変更がある場合のみ更新データを、監視制御端末にイントラネットを解して配信し、監視制御端末の更新問合せフレームは、ウェブサーバの画面生成アプリケーションから受信した更新データがある場合にのみ描画フレームによる表示を更新するようにして、変化のない画面更新を抑止する構成が開示されている。
【先行技術文献】
【特許文献】
【００１０】
【特許文献１】特開２００７−５８２０２号公報（２００７年３月８日公開）
【特許文献２】特開２００４−２１３４１８号公報（２００４年７月２９日公開）
【発明の概要】
【発明が解決しようとする課題】
【００１１】
しかしながら、特許文献１に記載の技術を適用するには、ハードウェアレベルの改修が必要であり、また、当該技術はパーシャル表示の改善技術であるため、例えば、ブラウザでウェブページを閲覧するといった利用シーンには適していない。
【００１２】
また、特許文献２に記載の技術は、データ更新がない場合の不要な画面更新を抑止する技術であるため、当該データ更新が、先述したような、ユーザにとって重要度の低い広告等の定期的な画像更新であっても、画面の更新が不要に行われてしまう。
【００１３】
すなわち、特許文献１、２のいずれにおいても、ユーザにとって重要度の低い情報を繰り返して更新することによって生じる消費電力の増加という課題の解決方法は開示されていない。
【００１４】
本発明は上記の事情に鑑みてなされたものであり、その目的は、ユーザにとって重要度の低い画像の更新処理を抑制することにより、ユーザの利便性および視認性を大きく損なうことなく消費電力を低減する表示装置等を提供することにある。
【課題を解決するための手段】
【００１５】
上記の課題を解決するために、本発明に係る表示装置は、複数の画像を同一の画像領域において切り替えて表示部の表示領域に表示する表示装置であって、上記表示領域における上記画像領域の位置およびサイズの少なくともいずれかを検出する検出手段と、上記検出された位置およびサイズの少なくともいずれかに応じて、上記画像を切り替える頻度を調整する頻度調整手段と、上記調整された頻度で上記画像を切り替えて上記画像領域に表示させる表示制御手段とを備えることを特徴としている。
【００１６】
また、本発明に係る表示装置の制御方法は、複数の画像を同一の画像領域において切り替えて表示部の表示領域に表示する表示装置の制御方法であって、上記表示領域における上記画像領域の位置およびサイズの少なくともいずれかを検出する検出ステップと、上記検出された位置およびサイズの少なくともいずれかに応じて、上記画像を切り替える頻度を調整する頻度調整ステップと、上記調整された頻度で上記画像を切り替えて上記画像領域に表示させる表示制御ステップとを含むことを特徴としている。
【００１７】
上記の構成によれば、頻度調整手段は、複数の画像が切り替えて表示される画像領域について、その位置およびサイズの少なくともいずれかに応じて、該画像領域において画像を切り替える頻度を調整し、表示制御手段は、該調整された頻度で、該画像領域において画像を切り替えて表示させる。
【００１８】
これにより、表示装置は、画像領域の位置およびサイズの少なくともいずれかに応じて、当該画像領域における画像の切り替え処理を実行する頻度を調整することができる。
【００１９】
従って、表示装置は、例えば、表示部の中心付近等、ユーザが注視していると考えられる領域に画像領域が含まれていない場合に、当該画像領域における画像の切り替えの頻度を低下させることができる。または、表示装置は、例えば、画像領域の表示サイズが小さく、ユーザにとって視認性が低いと考えられる場合に、当該画像領域３００における画像の切り替えの頻度を低下させることができる。
【００２０】
これにより、表示装置は、ユーザにとって重要度の低い画像の更新処理を抑制することができる。
【００２１】
ゆえに、表示装置は、ユーザの利便性および視認性を大きく損なうことなく消費電力を低減することができる。
【００２２】
本発明に係る表示装置において、上記頻度調整手段は、上記検出手段によって検出された位置およびサイズから、上記画像領域が、上記表示領域を分割して得られる複数の区画のうちの少なくとも１つの所定の有効区画に含まれるか否かを判定し、上記画像領域が上記有効区画に含まれないと判定したとき、上記頻度を低下させてもよい。
【００２３】
上記の構成によれば、頻度調整手段は、有効区画に画像領域が含まれないとき、該画像領域において画像を切り替える頻度を低下させ、表示制御手段は、該低下した頻度で該画像領域において画像を切り替えて表示させる。
【００２４】
これにより、表示装置は、上記有効区画に含まれない画像領域における画像の切り替えの頻度を低下させることができる。
【００２５】
従って、表示装置は、例えば、上記有効区画をユーザが注視すると考えられる領域に定めることで、当該有効区画に含まれない、ユーザが注視していないと考えられる画像領域における画像の切り替えの頻度を低下させることもできる。
【００２６】
また、ユーザは、画像の切り替えを所望しない画像領域を、スクロール等の簡易な操作により、上記有効区画外に移動させることで、容易に該画像領域における画像の切り替えを抑制することもできる。
【００２７】
本発明に係る表示装置において、上記頻度調整手段は、上記検出手段によって検出された位置およびサイズから、上記画像領域が、上記表示領域を分割して得られる複数の区画のうちの少なくとも１つの所定の無効区画に含まれるか否かを判定し、上記画像領域が上記無効区画に含まれると判定したとき、上記頻度を低下させてもよい。
【００２８】
上記の構成によれば、頻度調整手段は、無効区画に画像領域が含まれるとき、該画像領域において画像を切り替える頻度を低下させ、表示制御手段は、該低下した頻度で該画像領域において画像を切り替えて表示させる。
【００２９】
これにより、表示装置は、上記無効区画に含まれる画像領域における画像の切り替えの頻度を低下させることができる。
【００３０】
従って、表示装置は、例えば、上記無効区画をユーザが注視しないと考えられる領域に定めることで、当該無効区画に含まれる、ユーザが注視していないと考えられる画像領域における画像の切り替えの頻度を低下させることもできる。
【００３１】
また、ユーザは、画像の切り替えを所望しない画像領域を、スクロール等の簡易な操作により、上記無効区画内に移動させることで、容易に該画像領域における画像の切り替えを抑制することもできる。
【００３２】
本発明に係る表示装置において、上記頻度調整手段は、上記検出手段によって検出された位置およびサイズから、上記画像領域の全部が上記表示領域に含まれる状態にあるか否かを判定し、上記画像領域の全部が上記表示領域に含まれる状態にないと判定したとき、上記頻度を低下させてもよい。
【００３３】
上記の構成によれば、頻度調整手段は、画像領域の全部が表示部の表示領域に含まれない場合に、該画像領域において画像を切り替える頻度を低下させ、表示制御手段は、該低下した頻度で該画像領域において画像を切り替えて表示させる。
【００３４】
これにより、表示装置は、表示部の表示領域からはみ出している画像領域における画像の切り替えにかかる処理負荷を低減することができる。
【００３５】
従って、ユーザは、例えば、自身にとって重要度の低い画像を切り替えて表示する画像領域の一部を表示部の表示領域外にはみ出させるという簡易な操作によって、当該画像領域における画像の切り替えを抑制し、表示装置の電力消費を抑えることができる。
【００３６】
本発明に係る表示装置において、上記頻度調整手段は、上記検出手段によって検出された位置およびサイズから、上記画像を表示するアプリケーションにおける所定の有効領域に上記画像領域が含まれるか否かを判定し、当該有効領域に上記画像領域が含まれないと判定したとき、上記頻度を低下させてもよい。
【００３７】
上記の構成によれば、頻度調整手段は、画像領域において画像を表示するためのアプリケーションにおける所定の有効領域に、当該画像領域が含まれない場合に、該画像領域において画像を切り替える頻度を低下させ、表示制御手段は、該低下した頻度で該画像領域において画像を切り替えて表示させる。
【００３８】
これにより、表示装置は、上記アプリケーションの有効領域外の画像領域における、複数の画像を切り替える処理を抑制することができる。例えば、画像領域が、表示装置が実行する各アプリケーションにおいて、ユーザにとっての重要度が高いと考えられる領域に含まれない場合に、当該画像領域において複数の画像を切り替える処理を抑制することができる。
【００３９】
従って、表示装置は、実行するアプリケーションの機能に応じて、ユーザの利便性および視認性を大きく損なうことなく消費電力を低減することができる。
【００４０】
本発明に係る表示装置において、上記頻度調整手段は、上記検出手段によって検出された位置およびサイズから、上記画像を表示するアプリケーションにおける所定の無効領域に上記画像領域が含まれるか否かを判定し、当該無効領域に上記画像領域が含まれると判定したとき、上記頻度を低下させてもよい。
【００４１】
上記の構成によれば、頻度調整手段は、画像領域において画像を表示するためのアプリケーションにおける所定の無効領域に、当該画像領域が含まれる場合に、該画像領域において画像を切り替える頻度を低下させ、表示制御手段は、該低下した頻度で該画像領域において画像を切り替えて表示させる。
【００４２】
これにより、表示装置は、上記アプリケーションの無効領域内の画像領域における、複数の画像を切り替える処理を抑制することができる。例えば、画像領域が、表示装置が実行する各アプリケーションにおいて、ユーザにとっての重要度が低いと考えられる領域に含まれる場合に、当該画像領域において複数の画像を切り替える処理を抑制することができる。
【００４３】
従って、表示装置は、実行するアプリケーションの機能に応じて、ユーザの利便性および視認性を大きく損なうことなく消費電力を低減することができる。
【００４４】
本発明に係る表示装置はさらに、ユーザの操作を受け付ける操作部を備え、上記頻度調整手段は、上記画像が上記画像領域に表示されてから上記操作部にて上記操作を所定期間受け付けないとき、上記頻度を低下させてもよい。
【００４５】
上記の構成によれば、頻度調整手段は、画像が画像領域に表示されてから、ユーザの操作を所定期間受け付けない場合に、該画像領域において画像を切り替える頻度を低下させ、表示制御手段は、該低下した頻度で該画像領域において画像を切り替えて表示させる。
【００４６】
これにより、表示装置は、画像が画像領域に表示されてから、ユーザの操作がないまま所定期間経過した場合に、該画像領域における、複数の画像を切り替える処理を抑制することができる。
【００４７】
従って、表示装置は、ユーザが表示部を閲覧していないと考えられる状況において、複数の画像を切り替える処理を抑制することで、不要な電力消費を抑えることができる。
【００４８】
本発明に係る表示装置において、上記頻度調整手段は、上記画像を表示するアプリケーションにおいて、上記画像が表示されてから所定時間が経過したとき、上記頻度を低下させてもよい。
【００４９】
上記の構成によれば、頻度調整手段は、画像領域において画像を表示するためのアプリケーションにおいて、該画像が表示されてから所定時間が経過した場合に、該画像領域において画像を切り替える頻度を低下させ、表示制御手段は、該低下した頻度で該画像領域において画像を切り替えて表示させる。
【００５０】
これにより、表示装置は、当該アプリケーションにおいて、画像領域において画像が表示されてから上記所定時間が経過するまでの間は、該画像領域において、通常と同じ頻度で複数の画像を切り替えて表示することができる。
【００５１】
従って、ユーザは、当該アプリケーションにおける画像表示後の所定時間内は、当該画像領域において、通常と同じ頻度で切り替えて表示される複数の画像を閲覧することができる。
【００５２】
ゆえに、表示装置は、例えば、当該アプリケーションについて、時間の経過とともに当該画像領域に対するユーザにとっての重要度が低下することが想定される状況において、ユーザにとっての重要度が低下した複数の画像を切り替える処理を抑制することで、不要な電力消費を抑えることができる。
【００５３】
なお、上記表示装置は、コンピュータによって実現してもよく、この場合には、コンピュータを上記各手段として動作させることにより上記表示装置をコンピュータにて実現させる上記表示装置の制御プログラム、およびそれを記録したコンピュータ読み取り可能な記録媒体も、本発明の範疇に入る。
【発明の効果】
【００５４】
以上のとおり、本発明に係る表示装置は、複数の画像を同一の画像領域において切り替えて表示部の表示領域に表示する表示装置であって、上記表示領域における上記画像領域の位置およびサイズの少なくともいずれかを検出する検出手段と、上記検出された位置およびサイズの少なくともいずれかに応じて、上記画像を切り替える頻度を調整する頻度調整手段と、上記調整された頻度で上記画像を切り替えて上記画像領域に表示させる表示制御手段とを備える構成である。
【００５５】
また、本発明に係る表示装置の制御方法は、複数の画像を同一の画像領域において切り替えて表示部の表示領域に表示する表示装置の制御方法であって、上記表示領域における上記画像領域の位置およびサイズの少なくともいずれかを検出する検出ステップと、上記検出された位置およびサイズの少なくともいずれかに応じて、上記画像を切り替える頻度を調整する頻度調整ステップと、上記調整された頻度で上記画像を切り替えて上記画像領域に表示させる表示制御ステップとを含む方法である。
【００５６】
上記の構成によれば、表示装置は、ユーザにとって重要度の低い、複数の画像を切り替える処理を抑制することができる。
【００５７】
従って、表示装置は、ユーザの利便性および視認性を大きく損なうことなく消費電力を低減することができる。
【図面の簡単な説明】
【００５８】
【図１】本発明の第１および第２の実施形態に係るスマートフォンの要部構成を示すブロック図である。
【図２】図１に示す第１の実施形態に係るスマートフォンにおける処理の流れを示すフローチャートである。
【図３】（ａ）は、一般的なスマートフォンにおける、所定の周期で表示が更新される画像領域を含むウェブページの表示例であり、（ｂ）は、図１に示す第１の実施形態に係るスマートフォンにおける、（ａ）と同様のウェブページの表示例を、画像領域および注視領域とともに示す図であり、（ｃ）は、（ｂ）に示す状態から、タッチパネルに対し、図中黒矢印の方向にフリック操作が行われ、ウェブページが図中白矢印の方向にスクロールした状態の表示例を示す図である。
【図４】図１に示す第１の実施形態に係るスマートフォンが備える表示部の画面上における、注視領域、ならびに、注視領域を画定する第１の境界線および第２の境界線を、画像領域とともに示す図である。
【図５】図１に示す第１の実施形態に係るスマートフォンにおける、件名および本文にＧｉｆアニメーションによる絵文字を表示する画像領域が含まれているＥメールの表示例を示す図である。
【図６】図１に示す第２の実施形態に係るスマートフォンにおける処理の流れを示すフローチャートである。
【図７】本発明の第３の実施形態に係るスマートフォンの要部構成を示すブロック図である。
【図８】図７に示すスマートフォンにおける処理の流れを示すフローチャートである。
【発明を実施するための形態】
【００５９】
以下で説明する各実施形態では、例として、本発明に係る表示装置を、スマートフォンに適用した場合について説明する。しかしながら、本発明に係る表示装置は、これに限定されず、携帯電話、タブレットＰＣ、ＰＤＡ（Personal Digital Assistant）、電子書籍リーダ、ゲーム機器など、表示部の画面上において所定の頻度で複数の画像を切り替えて表示する機能を有するあらゆる表示装置に適用することができる。
【００６０】
なお、本明細書において、表示部の画面上において所定の頻度で画像が切り替えて表示される領域（以下、画像領域３００と称する（図３参照））とは、典型的には、JavaScript（登録商標）によってアニメーション化された広告、Ｇｉｆアニメーションによる絵文字またはアイコン等の表示対象物を表示する領域であって、複数のフレームにそれぞれ対応した複数の画像が切り替えて表示される領域である。
【００６１】
また、本明細書において単に「スマートフォン（表示装置）１００」と表記するときは、後述するスマートフォン１００Ａ、１００Ｂおよび１００Ｃの総称として用いるものとする。
【００６２】
〔第１の実施形態〕
（実施例１）
本発明の一実施形態の一実施例について、図１〜図４を参照して説明する。本実施形態に係るスマートフォン１００をスマートフォン（表示装置）１００Ａと表記する。画像領域３００は、表示部１２の画面上の少なくとも一部分において、複数の画像が切り替えて表示される領域である（図３参照）。
【００６３】
なお、一般的なスマートフォンが有する構成において、画像領域３００における画像の切り替え処理は、以下の手順で実行される。
【００６４】
本処理の前提として、表示部１２には、画像領域３００を含む画面全体の画像が既に表示されているものとする。なお、上記の「画像」には、文字列の画像を含むあらゆる表示対象が含まれる。
【００６５】
画像領域３００に複数の画像を切り替えて表示させるためのアプリケーションを制御する制御部は、画像領域３００において表示される画像が切り替えられる場合に、スマートフォンが備える描画システムに対して、表示部１２の画面上における画像領域３００の再描画を要求する信号である描画要求を出力する。この描画要求が出力される頻度は、JavaScript（登録商標）のタイマー（例としてsetTimeout等の命令）によって決定される構成であってもよい。
【００６６】
なお、本明細書における「再描画」とは、表示部１２の画面上に既に表示されている画像の少なくとも一部である画像領域３００について、表示内容を更新する、すなわち、表示画像を切り替えさせる処理である。上記再描画を要求する描画要求は、画像領域３００の位置およびサイズを特定する情報を含む。上記画像領域３００の位置およびサイズを特定する情報は、例えば、invalidate等のＡＰＩ（Application Programming Interface）によって通知される。具体的には、描画要求は、例えば、invalidate(x,y,h,w)のように、再描画を要求する領域、すなわち画像領域３００の位置およびサイズを特定する情報を伴って描画システムに対し出力される。なお、ｘおよびｙはそれぞれ、表示部１２の画面をｘ−ｙ平面として表現した場合の、画像領域３００の原点（例えば矩形の左上の頂点）のｘ座標およびｙ座標、ｈは画像領域３００の高さ、ｗは画像領域３００の幅を示す。描画システムは、当該描画要求に応じて、画像領域３００の再描画を実行する。
【００６７】
より具体的には、描画システムは、描画要求をトリガとして、描画要求を出力したアプリケーションの描画メソッド（例としてAndroid（登録商標）等におけるonDraw）を呼び出す。そして、該呼び出された描画メソッドにより生成された画像（例として、Android（登録商標）等におけるCanvasに描画させた画像）を、画像領域３００に表示させる。
【００６８】
なお、描画システムは、描画要求によって特定される画像領域３００以外の表示部１２の画面上の領域については、既に描画されている画像（例としてAndroid（登録商標）等におけるCanvasに描画させた画像）を取得する。
【００６９】
（スマートフォン１００Ａの機能概要）
スマートフォン１００Ａの機能について概説する。スマートフォン１００Ａは、一般的なスマートフォンと同様、表示部１２の画面上の画像領域３００において、複数の画像を所定の頻度で切り替えて表示する機能を有する。スマートフォン１００Ａはさらに、ユーザが注視していると予想される表示部１２の画面上の領域である注視領域（有効区画）３０１（図３（ｂ）参照）を規定し、該規定した注視領域３０１に、画像領域３００が含まれているか否かを判定する。そして、画像領域３００が注視領域３０１に含まれていないと判定した場合は、当該画像領域３００の再描画を要求する描画要求を無効とし、再描画を実行しない。一方、画像領域３００が注視領域３０１に含まれていると判定した場合は、当該画像領域３００の再描画を要求する描画要求を受け入れ、再描画処理を実行する。これにより、ユーザが注視していないと予想される画像領域３００における表示の更新処理を抑止し、消費電力を低減するものである。
【００７０】
ここで、本明細書において、ユーザが注視していると予想される表示部１２の画面上の領域である注視領域３０１とは、例えば、図３（ｂ）および図３（ｃ）に示すように、表示部１２の画面を縦に３分割したうちの中央の１つの領域であってもよい。別の例として、表示部１２の画面を３×３に分割した９個の領域のうち、画面中央を含む１つの区画を注視領域３０１としてもよく、画面が何個の区画に分割されるかは、表示部１２の画面の大きさおよび表示対象の視認性に応じて適宜変更されればよい。また、図５に示すように、Ｅメール等のアプリケーション上で割り当てられた所定の領域（同図では本文の表示領域（有効領域）３０１ａ）を注視領域３０１としてもよい。注視領域３０１は、スマートフォン１００Ａの製造段階で予め上記のように設定されていてもよいし、ユーザが画面上の所望の領域を注視領域３０１として設定可能な構成であってもよい。
【００７１】
なお、以下の図面において同一の部分には、同一の参照符号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【００７２】
（スマートフォン１００Ａにおける表示例）
図３を参照して、一般的なスマートフォンと、本実施形態に係るスマートフォン１００Ａとにおける画像領域３００における複数の画像の切り替え表示の態様の違いについて説明する。
【００７３】
図３（ａ）は、一般的なスマートフォンにおいて、ウェブブラウザでウェブページを表示する際の表示例を、画像領域３００とともに示す図である。同図において、ウェブページは、例として、ＨＴＭＬ（HyperText Markup Language）およびＣＳＳ（Cascading Style Sheets）等で記述されたコンテンツであり、画像領域３００において複数の画像を切り替えて表示させるアニメーション広告を含む。
【００７４】
図３（ａ）に示す例においては、画像領域３００の再描画を要求する描画要求は、当該スマートフォンにおいて全て（スマートフォンが処理するデフォルトの頻度で）受け入れられ、画像領域３００の再描画が実行される。すなわち、画像領域３００において複数の画像がアニメーションとして表示される。この構成では、例えば、画面上の中央付近に表示されたウェブページ中の文章にユーザの意識が集中しており、画像領域３００を注視していない場合に、画像領域３００において画像を切り替えて表示するという、ユーザにとって重要度の低い処理による電力の消費が生じ得る。
【００７５】
図３（ｂ）は、スマートフォン１００Ａにおける、図３（ａ）と同様のウェブページの表示例を、画像領域３００および注視領域３０１とともに示す図である。同図において、注視領域３０１は、表示部１２の画面の横軸をｘ軸、縦軸をｙ軸としたとき、それぞれｘ軸に平行な第１の境界線３０３および第２の境界線３０４によって、３つの区画に分割された表示部１２の画面内の中央の区画である。なお、第１の境界線３０３および第２の境界線３０４は、画面をｙ軸方向に均等に分割するものである必要はなく、境界線３０３および３０４の位置は、表示部１２の画面の大きさおよびユーザにとっての見易さ等を考慮し、適宜変更されればよい。また、１つの境界線によって画面を上下２つの区画に分割し、上半分を注視領域３０１としてもよく、画面を何個の区画に分割するかは適宜変更可能である。また、注視領域３０１を画定する境界線の方向は、同図に示すようなｘ軸方向のみの一方向には限定されず、ｙ軸に平行な境界線が規定されてもよいし、または、ｘ軸およびｙ軸にそれぞれ平行な複数の境界線が規定されてもよい。あるいは、ｘ軸およびｙ軸のいずれとも平行でない境界線が規定されてもよい。また、注視領域３０１は矩形でなくともよく、例えばひし形等であってもよい。さらに、注視領域３０１を画定する境界線は曲線であってもよく、例えば、注視領域３０１は円形、楕円形等であってもよい。
【００７６】
図３（ｂ）に示す例においては、画像領域３００は注視領域３０１に含まれていない。そして、スマートフォン１００Ａは、注視領域３０１に含まれていない画像領域３００の再描画を要求する描画要求を無効とし、再描画を実行しない。すなわち、同図に示す例において、画像領域３００において、複数の画像のうち既に表示されている１の画像が静止画として表示される。別の例として、スマートフォン１００Ａは、注視領域３０１に含まれていない画像領域３００の再描画を要求する描画要求を、図３（ａ）に示す例よりも低い頻度で有効とし、当該頻度にて再描画を実行してもよい。この場合は、画像領域３００において、複数の画像が、図３（ａ）に示す例と比較してフレーム数が減少したアニメーションとして表示される。
【００７７】
上述のように、ユーザが注視していないと考えられる画像領域３００について、再描画を要求する描画要求を無効とする、または該描画要求を有効として画面の再描画を行う頻度を低下させる構成により、ユーザのウェブページの閲覧において、利便性および視認性を大きく損なうことなく消費電力を低減することができる。
【００７８】
一方で、ユーザが注視領域３０１外の画像領域３００に静止画として表示されている広告に興味を持ち、該広告をデフォルトのフレーム数のアニメーションとして閲覧することを所望する状況も考えられる。
【００７９】
上記のような状況において、ユーザは、タッチパネル１に対するフリック操作等により、画像領域３００の少なくとも一部を注視領域３０１内に移動させることで、画像領域３００に表示されている広告を、デフォルトのフレーム数のアニメーションとしてスマートフォン１００Ａに表示させることが可能である。上記の操作を行った場合のスマートフォン１００Ａによる表示の一例を図３（ｃ）に示す。
【００８０】
図３（ｃ）は、図３（ｂ）の状態から、タッチパネル１に対し、図中黒矢印の方向にフリック操作が行われ、ウェブページが図中白矢印の方向にスクロールした状態の表示例を示す図である。同図において、画像領域３００は、ウェブページのスクロールに伴い、注視領域３０１に含まれている。画像領域３００が注視領域３０１に含まれていることにより、当該画像領域３００の再描画を要求する描画要求は全て有効となり、画面の再描画が実行される。すなわち、画像領域３００に表示される広告は、図３（ａ）に示す例と同様に、デフォルトのフレーム数のアニメーションとして表示される。
【００８１】
（スマートフォン１００Ａの構成）
次に、図１を参照して、スマートフォン１００Ａの構成について説明する。図１は、スマートフォン１００Ａの要部構成を示す機能ブロック図である。
【００８２】
図１に示すとおり、スマートフォン１００Ａは、少なくとも、タッチパネル１、制御部２、記憶部３、および、通信部４を備えている。さらに、スマートフォン１００Ａは、スマートフォンが通常具備する機能として、例えば、タッチパネルとは別の操作部（ボタン、スイッチなど）、近距離無線通信部、音声出力部、音声入力部、外部インターフェース、通話処理部、撮像部（レンズ・撮像素子など）、放送受像部（チューナ・復調部など）、ＧＰＳ、およびセンサ（加速度センサ、傾きセンサなど）他、スマートフォンが標準的に備えている各種部品を備えていてもよい。
【００８３】
タッチパネル１は、ユーザの操作を受け付けるとともに、画像を表示するための入出力インターフェースである。そのために、タッチパネル１は、操作部１１と表示部１２とを備えて成る。
【００８４】
操作部１１は、ユーザの指などの指示体の接触（または接近）を検知することによってユーザの操作を受け付けたことを示す指示信号を出力するものである。操作部１１は、例えば、圧力センサ、静電容量センサ、光センサ等を含んで実現される。本実施形態では特に、ウェブページをスクロールさせ、画像領域３００を移動させるためのフリック操作等を検知する。
【００８５】
表示部１２は、スマートフォン１００Ａが扱う情報を画像として表示するものである。表示部１２は、特に、ウェブページを画像として表示するとともに、画像領域３００において、複数の画像を切り替えて表示する。表示部１２は、例えば、ＬＣＤ（液晶ディスプレイ）などの表示装置で実現される。
【００８６】
記憶部３は、制御部２が実行する（１）制御プログラム、（２）ＯＳプログラム、（３）制御部２が、スマートフォン１００Ａが有する各種機能を実行するためのアプリケーションプログラム、および、（４）該アプリケーションプログラムを実行するときに読み出す各種データを記憶するものである。あるいは、（５）制御部２が各種機能を実行する過程で演算に使用するデータおよび演算結果等を記憶するものである。例えば、上記の（１）〜（４）のデータは、ＲＯＭ（read only memory）、フラッシュメモリ、ＥＰＲＯＭ（Erasable Programmable ROM）、ＥＥＰＲＯＭ（Electrically EPROM）（登録商標）、ＨＤＤ（Hard Disc Drive）等の不揮発性記憶装置に記憶される。例えば、上記（５）のデータは、ＲＡＭ（Random Access Memory）等の揮発性記憶装置に記憶される。どのデータを記憶するために、記憶部３をどの記憶装置にて実現するのかについては、スマートフォン１００Ａの使用目的、利便性、コスト、物理的な制約等から適宜決定されればよい。
【００８７】
通信部４は、通信ネットワークを介して、外部の装置またはサーバ等から、スマートフォン１００Ａが実行する各処理に必要なデータを取得する。本実施形態では、特に、アプリケーション制御部２２が制御するアプリケーションの実行する各処理において必要なデータを取得する。一例として、当該アプリケーションがウェブブラウザである例においては、通信部４は、ウェブページを取得する。別の例として、当該アプリケーションがＥメールアプリケーションである例においては、通信部４は、Ｅメールの受信を行う。
【００８８】
制御部２は、スマートフォン１００Ａが備える各部の機能を統括し、スマートフォン１００Ａの動作を制御するものである。制御部２は、例えば、ＣＰＵ（central processing unit）等で実現され、スマートフォン１００Ａが備える機能は、制御部２としてのＣＰＵが、ＲＯＭ等に記憶されているプログラムを、ＲＡＭ等に読み出して実行することで実現される。制御部２は、図１に示すとおり、機能ブロックとして、少なくとも、操作取得部２１、アプリケーション制御部２２、描画要求部２３、画像領域特定部（検出手段）２４、切り替え頻度調整部（頻度調整手段）２５、および、表示制御部（表示制御手段）２６を含む構成である。
【００８９】
操作取得部２１は、操作部１１から出力される指示信号を受け付け、ユーザの指などの指示体が表示部１２の表示面に接触（または接近）した位置の座標を特定する。また、上記指示信号を時系列で受け付け、接触位置の軌跡の座標を時系列で特定することによって、ユーザの操作の継続時間および接触位置の移動を検知し、ユーザの操作の種別（タップ、長押し、フリック、およびドラッグ等）を識別する構成であることが望ましい。本実施形態では、特に、ウェブページをスクロールさせ、画像領域３００を移動させるためのフリック操作を受け付ける。なお、操作取得部２１が特定した接触位置の座標情報およびユーザの操作の種別は、操作情報として、アプリケーション制御部２２に供給される。
【００９０】
アプリケーション制御部２２は、スマートフォン１００Ａに搭載されている各種のアプリケーションの動作を制御し、画像領域３００において複数の画像を切り替えて表示部１２に表示させるための出力情報を生成する。具体的には、図３に示す例では、当該アプリケーションはウェブブラウザであり、アプリケーション制御部２２は、操作取得部２１から取得した操作情報に基づいて、表示対象であるウェブページを、通信部４を介してサーバに要求し、取得する。そして、アプリケーション制御部２２は、上記ウェブページから、表示部１２の画面上において表示させるための表示用情報を生成する。上記表示用情報は、ウェブページが通信部４を介して取得されたのち、一旦、表示制御部２６に対し供給され、表示制御部２６は、該表示用情報に基づき、表示部１２にウェブページを表示させる。
【００９１】
なお、本実施形態では、上記表示用情報は、ウェブページを画像として表示部１２に表示させるための描画コマンド等を含む。また、上記表示用情報は、表示部１２による表示対象となるウェブページの範囲を示す情報を含み、アプリケーション制御部２２は、操作取得部２１から取得した操作情報に基づき、上記表示用情報を更新する。具体的には、例えば、図３（ｃ）に示すように、タッチパネル１に対する図中黒矢印の方向のフリック操作により、ウェブページが図中白矢印の方向にスクロールした場合、該移動に伴ってウェブページの表示対象となる範囲を示す情報を更新する。アプリケーション制御部２２は、描画要求部２３を備える。
【００９２】
描画要求部２３は、画像領域特定部２４に対し、描画要求を出力する。具体的には、描画要求部２３は、アプリケーション制御部２２が生成および更新した表示用情報に基づき、ウェブページのうち、表示内容に変更がある領域について、当該領域の再描画を要求する描画要求を、画像領域特定部２４に対し出力する。
【００９３】
特に、ウェブページの一部において、表示される画像が所定の頻度で切り替えられる領域については、描画要求部２３は、当該表示用情報に示される上記頻度に応じて、上記描画要求を画像領域特定部２４に対し出力する。
【００９４】
上記描画要求は、例えば、invalidate(x,y,h,w)のように、当該領域の原点（例として矩形領域の左上の頂点）の座標（ｘ，ｙ）と、幅ｗおよび高さｈとを特定する情報とを伴って出力される。上記ｘおよびｙは、アプリケーション制御部２２による表示用情報の更新に伴い更新される。
【００９５】
なお、上記表示用情報のうち、当該領域において切り替えて表示される複数の画像、および、該切り替えの頻度を示す情報は必ずしも通信部４を介して取得されずともよい。例えば、当該領域において、Ｅメールの文章中に含まれるＧｉｆアニメーションによる絵文字が表示される場合には、上記複数の画像、および該画像の切り替えの頻度は、記憶部３から取得されてもよい。この例では、表示用情報には、どの種類の絵文字を当該領域に表示させるかを指定する情報が含まれていればよい。
【００９６】
画像領域特定部２４は、画像領域３００を特定する。具体的には、画像領域特定部２４は、描画要求部２３から、全く同一の位置およびサイズの領域について、再描画を要求する描画要求が複数回、例えば２回以上出力された場合に、当該描画要求に係る領域を画像領域３００として特定する。該特定した画像領域３００の位置およびサイズは、当該画像領域３００に係る描画要求とともに、切り替え頻度調整部２５に通知される。
【００９７】
なお、画像領域３００について、初回の再描画を要求する描画要求のみでは、画像領域特定部２４は、当該領域において複数の画像が切り替えて表示されるか否かを知り得ず、上記の判定を行うことができない。そのため、画像領域特定部２４は、所定の領域について初回の描画要求が取得された場合には、画像領域３００の特定を行わずに、該初回の描画要求を表示制御部２６にそのまま出力してもよく、表示制御部２６は、該初回の描画要求に応じて画像領域３００の再描画を実行してもよい。
【００９８】
別の例として、画像領域特定部２４は、初回の描画要求から次の描画要求を取得し判定するまでの許容期間を設け、同一の領域についての描画要求が取得されないまま上記許容期間が経過した場合に、該初回の描画要求を表示制御部２６にそのまま出力してもよい。これにより、スマートフォン１００Ａは、当該許容期間よりも短い期間で画像が切り替えられる画像領域３００については、初回の再描画に係る処理負荷を抑えながら、画像領域３００の特定以降の処理を実行することができる。
【００９９】
切り替え頻度調整部２５は、画像領域３００における画像の切り替えの頻度を調整する。具体的には、切り替え頻度調整部２５は、画像領域特定部２４から通知された画像領域３００の位置およびサイズに基づき、画像領域３００が、注視領域３０１に含まれているか否かを判定する。画像領域３００が注視領域３０１に含まれていると判定すると、切り替え頻度調整部２５は、表示制御部２６に対し、画像領域特定部２４から取得した描画要求を出力する。画像領域３００が注視領域３０１に含まれていないと判定すると、切り替え頻度調整部２５は、描画要求の出力を行わない。
【０１００】
あるいは、切り替え頻度調整部２５は、画像領域３００が注視領域３０１に含まれていないとの判定が所定回数連続して行われた場合に、直近に取得した描画要求を表示制御部２６に対し出力してもよい。上記所定回数をｎ回（ｎは２以上の任意の整数）と表記すると、切り替え頻度調整部２５は、描画要求を、ｎ回に１回の頻度で表示制御部２６に出力する。この構成では、画像領域３００において切り替えて表示される複数の画像は、画像領域特定部２４から取得した描画要求を全て有効とした場合と比較して、フレーム数が１／ｎに減少したアニメーションとなる。
【０１０１】
切り替え頻度調整部２５による判定処理の例について、図４を参照してより具体的に説明する。図４は、表示部１２の画面上における、注視領域３０１、ならびに、注視領域３０１を画定する第１の境界線３０３および第２の境界線３０４を、画像領域３００とともに示す図である。同図において、幅ｗおよび高さｈを有する画像領域３００の左上の頂点の座標を（ｘＡ，ｙＡ）としたとき、画像領域３００の上辺Ｅ１を規定する直線の式はｙ＝ｙＡとなり、下辺Ｅ２を規定する直線の式はｙ＝ｙＡ−ｈとなる。また、第１の境界線３０３を規定する直線の式をｙ＝ｙ３０３、第２の境界線を規定する直線の式をｙ＝ｙ３０４とする。
【０１０２】
上記のように各直線を規定したとき、切り替え頻度調整部２５は、ｙＡ＜ｙ３０４またはｙ３０３＜ｙＡ−ｈのいずれかが成立するか否かを判定する。上記２式のいずれかが成立すれば、画像領域特定部２４は、画像領域３００が注視領域３０１に含まれていないと判定する。図４に示す例では、ｙＡ＜ｙ３０４が成立するため、画像領域特定部２４は、画像領域３００が注視領域３０１に含まれていないと判定し、画像領域３００に係る描画要求を表示制御部２６に対し出力しない、または、該描画要求を表示制御部２６に対し出力する頻度を低下させる。
【０１０３】
なお、上記は切り替え頻度調整部２５が行う判定処理の一例であり、注視領域３０１を規定する境界線はｘ軸に平行な直線に限定されず、ｙ軸に平行な直線であってもよいし、ｘ軸およびｙ軸にそれぞれ平行な複数の直線であってもよい。また、上記のｙ３０３およびｙ３０４はスマートフォン１００Ａの製造段階で予め設定されていてもよいし、ユーザが所望に応じて変更できる構成であってもよい。
【０１０４】
なお、注視領域３０１を規定する境界線は、ｘ軸およびｙ軸のいずれとも平行でない直線であってもよい。また、注視領域３０１は矩形でなくともよく、例えばひし形等であってもよい。さらに、注視領域３０１を画定する境界線は曲線であってもよく、例えば、注視領域３０１は円形、楕円形等であってもよい。
【０１０５】
また、切り替え頻度調整部２５は、注視領域３０１をさらに細分化し、注視領域３０１内のどの領域に画像領域３００が含まれるかに基づいて、該画像領域３００に係る描画要求を有効とする頻度を調整してもよい。具体的には、例えば、画面をｙ軸方向に５区画に分割した場合に、中心付近の３区画を注視領域３０１とした上で、さらに、当該３区画のうち、画面中心を含まない２区画について、当該２区画に含まれる画像領域３００に係る描画要求を有効とする頻度を、画面中心を含む１区画と、画面の上下両端の２区画との中間の頻度に設定してもよい。この構成によれば、画面の中心から遠い画像領域３００ほど、画像が切り替えて表示される頻度が低下するため、頻度が注視領域３０１内外の２段階に設定される構成よりも、ユーザにとってシームレスな閲覧が実現される。なお、本構成においても、画面が分割される区画数は５に限定されず、また、分割方向も１方向に限定されないことは、先に述べたとおりである。
【０１０６】
再び図１を参照して、スマートフォン１００Ａの構成について説明する。
【０１０７】
表示制御部２６は、表示部１２に対して、各種情報を画像として表示するための信号を出力するものである。本実施形態では特に、切り替え頻度調整部２５から出力された描画要求に基づき、表示部１２に対して、画像領域３００において、画像を切り替えて表示するための信号を出力する。なお、表示制御部２６は、上記描画要求を取得した後、既に描画されている画像（例としてAndroid（登録商標）等におけるCanvas）をアプリケーション制御部２２から取得し、該描画要求において特定された領域についてのみ再描画を行う。これにより、画面の更新処理は全体であっても、表示部１２に表示させる画像を作成する際に、画像領域３００以外の領域の表示内容を再利用するため処理負荷が抑えられる。
【０１０８】
（スマートフォン１００Ａにおける処理の流れ）
図２を参照して、スマートフォン１００Ａにおける処理の流れの一例を説明する。
【０１０９】
図２は、スマートフォン１００Ａにおける、画像領域３００の再描画の頻度を決定する処理の流れの一例を示すフローチャートである。
【０１１０】
なお、本フローチャートは、描画要求部２３から、画像領域３００の再描画を要求する描画要求であって、少なくとも２回目以降の描画要求が出力された時点で開始される構成が好ましい。
【０１１１】
まず、画像領域特定部２４は、描画要求を取得する（Ｓ１０１）。具体的には、画像領域特定部２４は、描画要求部２３から出力された描画要求を取得する。
【０１１２】
次に、画像領域特定部２４は、画像領域３００を特定する（Ｓ１０２：検出ステップ）。具体的には、画像領域特定部２４は、ステップＳ１０１で取得した描画要求において特定される、再描画を要求する領域が、既に取得した描画要求において特定された領域と同一であることを認識し、当該領域を画像領域３００として特定する。該特定した画像領域３００の位置およびサイズ（原点座標、幅および高さ）は、当該画像領域３００に係る描画要求とともに、切り替え頻度調整部２５に通知される。
【０１１３】
次に、切り替え頻度調整部２５は、画像領域３００が、（Ａ）表示部１２の画面の一部であり、かつ（Ｂ）注視領域３０１外であるか否かを判定する（Ｓ１０３：頻度調整ステップ）。
【０１１４】
（Ａ）について、切り替え頻度調整部２５は、まず、ステップＳ１０２において画像領域特定部２４が特定した画像領域３００が、表示部１２の全体に表示されるものであるか否かを判定する。具体的には、図４を参照して説明すれば、切り替え頻度調整部２５は、画像領域３００の上下左右の各辺と、表示部１２の画面を画定する上下左右の各辺との位置関係を参照し、画像領域３００が表示部１２の画面全体を含むか否かを判定する。画像領域３００が表示部１２の画面全体を含む、すなわち、画像領域３００について（Ａ）が不成立である場合（Ｓ１０３でＮＯ）、切り替え頻度調整部２５は、表示制御部２６に対し描画要求を出力し、本フローチャートに係る処理はステップＳ１０４（表示制御ステップ）に移行する。
【０１１５】
一方、画像領域３００が表示部１２の画面全体を含まない、すなわち、画像領域３００が表示部１２の画面の一部であると判定された場合、画像領域３００について（Ａ）が成立すると判定される。画像領域３００について（Ａ）が成立するとき、次に、（Ｂ）について、切り替え頻度調整部２５は、画像領域３００が注視領域３０１に含まれているか否かを判定する。具体的には、図４を参照して説明すれば、切り替え頻度調整部２５は、ｙＡ＜ｙ３０４またはｙ３０３＜ｙＡ−ｈのいずれかが成立するか否かを判定する。上記２式がいずれも成立しない、すなわち、画像領域３００について（Ｂ）が不成立である場合（Ｓ１０３でＮＯ）、切り替え頻度調整部２５は、表示制御部２６に対し描画要求を出力し、本フローチャートに係る処理はステップＳ１０４に移行する。
【０１１６】
画像領域３００について、（Ａ）または（Ｂ）が不成立である場合（Ｓ１０３でＮＯ）、表示制御部２６は、描画要求に応じて、画像領域３００の再描画を行う（Ｓ１０４）。具体的には、表示制御部２６は、ステップＳ１０３において切り替え頻度調整部２５が出力した描画要求に基づき、表示部１２に対して、画像領域３００において、画像を切り替えて表示するための信号を出力する。
【０１１７】
一方、（Ｂ）について、ｙＡ＜ｙ３０４またはｙ３０３＜ｙＡ−ｈ（図４参照）のいずれかが成立すれば、画像領域特定部２４は、画像領域３００について（Ｂ）が成立すると判定する（Ｓ１０３でＹＥＳ）。図４に示す例では、ｙＡ＜ｙ３０４が成立するため、画像領域特定部２４は、画像領域３００について（Ｂ）が成立すると判定する。画像領域３００について（Ａ）および（Ｂ）が同時に成立すると判定されると（Ｓ１０３でＹＥＳ）、切り替え頻度調整部２５は、表示制御部２６に対し、画像領域３００の再描画を要求する描画要求の出力を行わず、本フローチャートに係る処理は終了する。あるいは、切り替え頻度調整部２５は、画像領域３００について（Ａ）および（Ｂ）が同時に成立するとの判定が所定回数連続して行われた場合に、直近に取得した描画要求を表示制御部２６に出力してもよい。
【０１１８】
（効果）
以上のように、スマートフォン１００Ａは、ユーザが注視していると予想される表示部１２の画面上の領域である注視領域３０１を規定し、該規定した注視領域３０１に、複数の画像を所定の頻度で切り替えて表示するための画像領域３００が含まれているか否かを判定する。そして、スマートフォン１００Ａは、画像領域３００が注視領域３０１に含まれていないと判定した場合に、該画像領域３００において表示される画像を切り替える頻度を低下させる。
【０１１９】
これにより、スマートフォン１００Ａは、画像領域３００における、ユーザにとって重要度の低い画像の切り替えの頻度を低下させることで、ユーザの利便性および視認性を大きく損なうことなく消費電力を低減することができる。
【０１２０】
なお、上述の記載では、注視領域３０１を規定し、画像領域３００が注視領域３０１に含まれない場合に、当該画像領域３００において表示される画像を切り替える頻度を低下させる例について説明した。しかしながら、スマートフォン１００Ａは、例えば、表示部１２の画面上の注視領域３０１以外の領域を無効区画とし、画像領域３００が当該無効区画に含まれる場合に、当該画像領域３００において表示される画像を切り替える頻度を低下させる構成であってもよい。上記無効区画とは、ユーザが注視しないと予想される表示部１２の画面上の領域に設定される。画像領域３００における、ユーザにとって重要度の低い画像の切り替えの頻度を低下させることで、ユーザの利便性および視認性を大きく損なうことなく消費電力を低減するという上述の効果は、この構成においても同様に奏される。
【０１２１】
（実施例２）
本実施形態の別の実施例として、スマートフォン１００Ａは、画像領域３００の全部が表示部１２の画面内に含まれない、すなわち、画像領域３００が表示部１２の画面外にはみ出している場合に、該画像領域３００において画像を切り替える頻度を低下させてもよい。
【０１２２】
本実施例においては、注視領域３０１は表示部１２の画面全体である。そして、切り替え頻度調整部２５は、画像領域３００の全部が注視領域３０１に含まれているか否かの判定を行う。具体的には、切り替え頻度調整部２５は、画像領域特定部２４が特定した画像領域３００の上下左右の辺の全てが表示部１２の画面内に含まれるか否かを判定する。そして、画像領域３００のいずれかの辺が表示部１２の画面外に存在すると判定した場合に、該画像領域３００の再描画を要求する描画要求を表示制御部２６に出力する頻度を低下させる。
【０１２３】
図４に示す例では、画像領域３００の下辺Ｅ２が、ｙ軸方向において表示部１２の画面の下辺より下部に存在しているため、切り替え頻度調整部２５は、画像領域３００の再描画を要求する描画要求を表示制御部２６に出力する頻度を低下させる。よって、画像領域３００において画像が切り替えて表示される頻度が低下する。
【０１２４】
この構成によれば、ユーザは、画像領域３００における表示内容の重要度が低いと判断したときに、フリック操作等により、画像領域３００の一部を表示部１２の画面外にはみ出させるという簡易な操作によって、当該画像領域３００における画像の切り替えに起因する処理負荷の発生を抑止することができる。これにより、スマートフォン１００Ａは、ユーザの利便性および視認性を大きく損なうことなく消費電力を低減することができる。
【０１２５】
（実施例３）
本実施形態のさらに別の実施例として、スマートフォン１００Ａは、画像領域３００において画像を表示するためのアプリケーションにおける所定の有効領域に、該画像領域３００が含まれていない場合に、該画像領域３００において画像を切り替える頻度を低下させてもよい。
【０１２６】
本実施例について、図５を参照して説明する。図５は、スマートフォン１００Ａにおける、件名および本文にＧｉｆアニメーションによる絵文字を表示する画像領域３００ａ１および３００ａ２が含まれているＥメール５００の表示例を示す図である。
【０１２７】
本実施例において、注視領域は表示部１２の画面上の固定の領域ではなく、Ｅメールアプリケーションによって規定される、本文の表示領域３０１ａである。注視領域３０１を本文の表示領域とする構成は、Ｅメールの閲覧において、ユーザにとっての重要度が高いのは本文の表示領域３０１ａにおける表示内容であり、それ以外の、例えば件名の表示領域（無効領域）５０１における表示内容は、ユーザにとっての重要度が低いとの想定に基づくものである。このように、本実施例においては、注視領域３０１は、ユーザにとっての利便性等を考慮し、アプリケーションごとに適宜変更されることが好ましい。
【０１２８】
本実施例に係る切り替え頻度調整部２５は、画像領域３００ａ１、３００ａ２が本文の表示領域３０１ａに含まれているか否かの判定を行う。具体的には、切り替え頻度調整部２５は、画像領域特定部２４が特定した画像領域３００ａ１、３００ａ２が、本文の表示領域３０１ａに含まれるか否かを判定する。そして、画像領域３００ａ１、３００ａ２が本文の表示領域３０１ａに含まれていないと判定した場合に、該画像領域３００ａ１、３００ａ２の再描画を要求する描画要求を表示制御部２６に出力する頻度を低下させる。
【０１２９】
図５に示す例では、画像領域３００ａ１は本文の表示領域３０１ａに含まれており、画像領域３００ａ２は件名の表示領域５０１に含まれている。よって、切り替え頻度調整部２５は、画像領域３００ａ１の再描画を要求する描画要求は全て表示制御部２６に出力し、一方、画像領域３００ａ２の再描画を要求する描画要求を表示制御部２６に出力する頻度を低下させる。これにより、画像領域３００ａ２において画像が切り替えて表示される頻度が低下する。
【０１３０】
この構成によれば、スマートフォン１００Ａは、ユーザにとって重要度の高い本文の表示領域３０１ａに含まれない、例えば、件名の表示領域５０１内の画像領域３００ａ２における画像の切り替えに起因する処理負荷の発生を抑止することができる。これにより、スマートフォン１００Ａは、ユーザによるＥメール５００の閲覧において、利便性および視認性を大きく損なうことなく消費電力を低減することができる。
【０１３１】
なお、上述の記載では、画像領域３００ａ１、３００ａ２が本文の表示領域３０１ａに含まれない場合に、当該画像領域３００ａ１、３００ａ２において表示される画像を切り替える頻度を低下させる例について説明した。しかしながら、スマートフォン１００Ａは、画像領域３００ａ１、３００ａ２が件名の表示領域５０１に含まれる場合に、当該画像領域３００ａ１、３００ａ２において表示される画像を切り替える頻度を低下させる構成であってもよい。ユーザによるＥメール５００の閲覧において、利便性および視認性を大きく損なうことなく消費電力を低減するという上述の効果は、この構成においても同様に奏される。
【０１３２】
なお、本実施例において、ユーザのキー操作等により件名の表示領域５０１がフォーカスされた場合は、画像領域３００ａ２における画像の切り替えの頻度の低減を解除し、画像領域３００ａ１と同様に画像の切り替えを行うようにしてもよい。
【０１３３】
また、ユーザは、Ｅメール５００を開いた直後には件名を確認するために件名の表示領域５０１を注視すると考えられる。このときに、画像領域３００ａ２における画像の切り替えの頻度が低下していることは好ましくない。そこで、件名を確認するために要するであろう所定の期間（例えば５秒間）を設定し、Ｅメール５００の表示後に上記所定の期間が経過した場合に、画像領域３００ａ２における画像の切り替えの頻度を低下させる構成であってもよい。これにより、ユーザは、Ｅメール５００を開いた直後に、デフォルトと同じ頻度で画像が切り替えて表示される画像領域３００ａ２を伴って件名を確認することができる。
【０１３４】
（実施例４）
上述した各実施例では、スマートフォン１００Ａは、画像領域３００の位置およびサイズ、すなわち、画像領域３００の原点座標と、幅および高さとに基づいて、画像領域３００において画像を切り替える頻度を調整する構成として説明を行った。
【０１３５】
しかしながら、スマートフォン１００Ａは、画像領域３００の位置情報のみによって上記の頻度調整を行ってもよい。
【０１３６】
本実施形態のさらに別の実施例として、スマートフォン１００Ａは、画像領域３００の中心座標が注視領域３０１に含まれない場合に、該画像領域３００において画像を切り替える頻度を低下させてもよい。
【０１３７】
本実施例においては、画像領域特定部２４は、描画要求部２３から取得した描画要求に含まれる画像領域３００の原点座標と、幅および高さとから、該画像領域３００の中心座標を算出し、該算出した中心座標を切り替え頻度調整部２５に通知してもよい。そして、切り替え頻度調整部２５は、該通知された画像領域３００の中心座標が、上述したいずれかの実施例における注視領域３０１、３０１ａに含まれない場合に、表示制御部２６に対し描画要求を出力する頻度を低下させてもよい。
【０１３８】
これによれば、スマートフォン１００Ａは、画像領域３００の位置情報のみに基づいて、該画像領域３００において画像を切り替える頻度を調整すればよいので、頻度調整にかかる処理の負荷をより抑えることができる。
【０１３９】
〔第２の実施形態〕
本発明の別の実施形態について、図１および図６を参照して説明する。
【０１４０】
本実施形態に係るスマートフォン（表示装置）１００Ｂは、画像領域３００のサイズが所定値以下である場合に、該画像領域３００における画像の切り替えの頻度を低下させる。
【０１４１】
図１に示すとおり、スマートフォン１００Ｂは、第１の実施形態に係るスマートフォン１００Ａと同様のブロック構成を具備している。
【０１４２】
ただし、スマートフォン１００Ｂが備える切り替え頻度調整部２５は、画像領域３００のサイズが所定値（例えば20dot*20dot）以下であるか否かを判定する。そして、画像領域３００のサイズが所定値以下であると判定した場合に、切り替え頻度調整部２５は、該画像領域３００の再描画を要求する描画要求を表示制御部２６に出力する頻度を低下させる。よって、所定値以下のサイズを有する画像領域３００において画像が切り替えて表示される頻度が低下する。
【０１４３】
図６を参照して、スマートフォン１００Ｂにおける処理の流れの一例を説明する。
【０１４４】
図６は、スマートフォン１００Ｂにおける、画像領域３００の再描画の頻度を決定する処理の流れの一例を示すフローチャートである。
【０１４５】
本フローチャートは、上記第１の実施形態において図２に示したフローチャートと同様、描画要求部２３から、画像領域３００の再描画を要求する描画要求であって、少なくとも２回目以降の描画要求が出力された時点で開始される構成が好ましい。
【０１４６】
本フローチャートにおけるステップＳ２０１〜Ｓ２０２、Ｓ２０４における処理については、上記第１の実施形態におけるステップＳ１０１〜Ｓ１０２、Ｓ１０４と同様である。
【０１４７】
本フローチャートにおいて、切り替え頻度調整部２５は、画像領域３００のサイズが所定値以下であるか否かを判定する（Ｓ２０３：頻度調整ステップ）。具体的には、切り替え頻度調整部２５は、ステップＳ２０２（検出ステップ）で画像領域特定部２４が特定した画像領域３００の幅および高さの値の少なくともいずれかが、それぞれに定められた閾値以下であるか否かを判定する。上記幅および高さの少なくともいずれかが、それぞれに定められた閾値を上回る場合（Ｓ２０３でＮＯ）、切り替え頻度調整部２５は、表示制御部２６に対し描画要求を出力し、本フローチャートに係る処理はステップＳ２０４（表示制御ステップ）に移行し、当該画像領域３００の再描画が行われる。
【０１４８】
一方、画像領域３００のサイズが所定値以下であると判定されると（Ｓ２０３でＹＥＳ）、切り替え頻度調整部２５は、表示制御部２６に対し画像領域３００の再描画を要求する描画要求の出力を行わず、本フローチャートに係る処理は終了する。あるいは、切り替え頻度調整部２５は、画像領域３００のサイズが所定値以下であるとの判定が所定回数連続して行われた場合に、直近に取得した描画要求を表示制御部２６に出力してもよい。
【０１４９】
（効果）
以上のように、スマートフォン１００Ｂは、複数の画像を切り替えて表示するための画像領域３００のサイズが所定値以下である場合に、当該画像領域３００における画像の切り替えの頻度を低下させる構成である。
【０１５０】
この構成によれば、スマートフォン１００Ｂは、表示サイズが小さく、ユーザにとって視認性の低い画像領域３００における画像の切り替えに起因する処理負荷の発生を抑止することができる。これにより、スマートフォン１００Ｂは、ユーザの利便性および視認性を大きく損なうことなく消費電力を低減することができる。
【０１５１】
なお、切り替え頻度調整部２５が行う上記の判定に係る各所定値は、スマートフォン１００Ｂの製造段階において予め設定されていてもよいし、ユーザが任意に設定可能であってもよい。また、アプリケーションごとに上記所定値が異なっていてもよい。例えば、Ｅメールに含まれる絵文字は、表示サイズが小さくともユーザにとって重要度が高いと考えられるが、ウェブページに含まれるアニメーション画像は、表示サイズが小さければユーザにとっての重要度は低いと考えられる。そのため、切り替え頻度調整部２５は、Ｅメールアプリケーション動作時は、ウェブブラウザアプリケーションよりも低い上記所定値に基づいて、上記の判定を行ってもよい。
【０１５２】
また、上記第１の実施形態の実施例１と組み合わせて、画像領域３００のサイズが、表示部１２の画面を分割（例えば９区画に分割）したときの１区画のサイズ以下であれば、該画像領域３００において画像を切り替える頻度を低下させてもよい。
【０１５３】
〔第３の実施形態〕
本発明のさらに別の実施形態について、図７を参照して説明する。
【０１５４】
本実施形態に係るスマートフォン（表示装置）１００Ｃは、上述した第１または第２の実施形態に係るスマートフォン１００Ａまたは１００Ｂの機能に加え、さらに、画像領域３００において画像が表示された後、ユーザによる操作が検出されないまま所定の期間が経過した場合に、画像領域３００における画像の切り替えの頻度を低下させる。
【０１５５】
図７は、スマートフォン１００Ｃの要部構成を示す機能ブロック図である。図７に示す通り、スマートフォン１００Ｂは、第１または第２の実施形態に係るスマートフォン１００Ａまたは１００Ｂと同様の機能ブロックを具備している。
【０１５６】
ただし、スマートフォン１００Ｃが備える操作取得部２１は、アプリケーション制御部２２に加え、切り替え頻度調整部２５に対しても操作情報を供給する。そして、切り替え頻度調整部２５は、画像領域３００において画像が表示された後に、操作取得部２１から該操作情報が供給されないまま所定の期間が経過した場合に、画像領域特定部２４から取得した描画要求を表示制御部２６に出力する頻度を低下させる。
【０１５７】
図８を参照して、スマートフォン１００Ｃにおける処理の流れの一例を説明する。
【０１５８】
図８は、スマートフォン１００Ｃにおける、画像領域３００の再描画の頻度を決定する処理の流れの一例を示すフローチャートである。
【０１５９】
本フローチャートに係る処理は、上記第１の実施形態において図２または図６に示したフローチャートにおける、ステップＳ１０４またはステップＳ２０４に代えて実行されてもよい。
【０１６０】
本フローチャートにおいて、切り替え頻度調整部２５は、直近のユーザ操作から所定期間が経過したか否かを判定する（Ｓ３０１：頻度調整ステップ）。具体的には、切り替え頻度調整部２５は、操作取得部２１から最後に操作情報を取得してからの経過期間をｔとしたとき、Ｑ＜ｔが成立するか否かを判定する。なお、Ｑは本実施形態における所定期間であり、例えば６０秒であってもよい。ｔ≦Ｑである場合（Ｓ３０１でＮＯ）、切り替え頻度調整部２５は、表示制御部２６に対し描画要求を出力し、本フローチャートに係る処理はステップＳ３０２（表示制御ステップ）に移行し、当該画像領域３００の再描画が行われる。
【０１６１】
一方、Ｑ＜ｔが成立する場合（Ｓ３０１でＹＥＳ）、切り替え頻度調整部２５は、表示制御部２６に対し画像領域３００の再描画を要求する描画要求の出力を行わず、本フローチャートに係る処理は終了する。あるいは、切り替え頻度調整部２５は、Ｑ＜ｔが成立するとの判定が所定回数連続して行われた場合に、直近に取得した描画要求を表示制御部２６に出力してもよい。
【０１６２】
（効果）
以上のように、スマートフォン１００Ｃは、画像領域３００において画像が表示された後、ユーザによる操作が検出されないまま所定の期間が経過した場合に、複数の画像が切り替えて表示される画像領域３００における画像の切り替えの頻度を低下させる構成である。
【０１６３】
この構成によれば、スマートフォン１００Ｃは、ユーザが画面を閲覧していないと考えられる状況において、画像領域３００における画像の切り替えに起因する処理負荷の発生を抑止することができる。そして、ユーザが操作を再開すれば、該画像領域３００における画像の切り替えの頻度の低減を解除する。
【０１６４】
これにより、スマートフォン１００Ｃは、ユーザの利便性および視認性を大きく損なうことなく消費電力を低減することができる。具体的には、例えば、ユーザがＥメールを開いた状態でスマートフォン１００Ｃを放置した場合等の状況において、不要な電力消費を抑制することができる。
【０１６５】
なお、切り替え頻度調整部２５は、直近のユーザ操作からの経過時間に対する判定結果に複数の段階を儲け、上記経過時間の段階に応じて、画像領域３００における画像の切り替えの頻度を変更してもよい。具体的には、切り替え頻度調整部２５は、直近のユーザ操作からの経過時間が長くなるに応じて、画像領域３００における画像の切り替えの頻度を低下させてもよい。
【０１６６】
なお、上記の説明において、切り替え頻度調整部２５は、タッチパネル１に対する操作に基づく操作情報取得後の経過時間を判定する構成として説明した。しかしながら、切り替え頻度調整部２５は、図示しないハードウェアキー等の、タッチパネル１とは別の操作部からの信号入力を取得し、タッチパネル１に対する操作に基づき得られた上記操作情報と合わせて、ステップＳ３０１における判定を行うことが好ましい。
【０１６７】
（画像の切り替え頻度の低減からの復帰方法）
なお、上述した各実施形態において、画像領域３００における画像の切り替えの頻度の低減は、ユーザの所望に応じて適宜解除されることが好ましく、該解除は以下のように行われてもよい。
【０１６８】
例えば、画像領域３００において画像の切り替えの頻度が低下している状況において、ユーザがタッチパネル１の任意の位置をタッチした場合、あるいは、タッチパネル１外のハードウェアキー等の操作部を操作した場合に、当該画像領域３００における画像の切り替えの頻度の低減が解除されてもよい。これは、ユーザがタッチパネル１に対し操作を行っている間は、スクロール等により、表示部１２の画面上において何らかの表示内容の更新が行われていることが多いためである。つまり、ユーザの操作が検出されているときに、画面の一部を占める画像領域３００における画像の切り替えの頻度の低減を解除しても、該解除によって消費電力が著しく増大する可能性は低いと考えられる。なお、ユーザの操作が最後に検出されてから所定の期間が経過すれば、上記各実施形態にて説明した判定基準に基づき、再び画像領域３００における画像の切り替えの頻度を低下させてもよい。
【０１６９】
または、ユーザによりタッチされた、または、ユーザのキー操作等によりフォーカスされた領域に含まれる画像領域３００における画像の切り替えの頻度の低減が解除される構成であってもよい。上記に該当する画像領域３００は、ユーザにとって興味が高いと考えられるためである。
【０１７０】
なお、スマートフォン１００が備える描画システムによって上述した画像の切り替え頻度の低減処理機能を実現すれば、任意のアプリケーションについて上記低減処理を実行できるが、換言すれば、システムレベルの改修が必要となる。これに対し、アプリケーションレベルで上記低減処理を実行する場合、他のアプリケーションについての上記低減処理は実行されないが、改修は容易である。
【０１７１】
また、当該アプリケーションがウェブブラウザであれば、描画要求部２３による描画要求の出力そのものを、アプリケーションレベルで抑止することができる。この構成を実現するためには、画像領域特定部２４および切り替え頻度調整部２５の有する上記の機能が、アプリケーションが実行する処理に組み込まれていればよい。具体的には、例えば、画像領域３００に係るJavaScript（登録商標）またはＧｉｆアニメーションを駆動するタイマーを停止／再開すればよい。この場合、描画要求の発生を抑止することにより、さらに高い省電力効果を得ることができる。また、Java（登録商標）においては、アプリケーション層で使用Ｖｉｅｗを継承した独自のＶｉｅｗを作成し、当該独自のＶｉｅｗ内において、invalidate(x,y,h,w)メソッドをオーバーライドし処理をフックしてもよい。
【０１７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７３】
〔ソフトウェアによる実現例〕
最後に、スマートフォン１００の各ブロック、特に制御部２は、集積回路（ＩＣチップ）上に形成された論理回路によってハードウェア的に実現してもよいし、ＣＰＵ（Central Processing Unit）を用いてソフトウェア的に実現してもよい。
【０１７４】
後者の場合、スマートフォン１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるスマートフォン１００の制御プログラムのプログラムコード（実行形式プログラム、中間コードプログラム、ソースプログラム）をコンピュータで読み取り可能に記録した記録媒体を、上記スマートフォン１００に供給し、そのコンピュータ（またはＣＰＵやＭＰＵ）が記録媒体に記録されているプログラムコードを読み出し実行することによっても、達成可能である。
【０１７５】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１７６】
また、スマートフォン１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７７】
本発明は、スマートフォン、携帯電話、タブレットＰＣ、ＰＤＡ（Personal Digital Assistant）、電子書籍リーダ、ゲーム機器など、表示部の画面上において所定の頻度で複数の画像を切り替えて表示する機能を有する情報処理装置に好適に利用することができる。
【符号の説明】
【０１７８】
１１  操作部
１２  表示部
２４  画像領域特定部（検出手段）
２５  切り替え頻度調整部（頻度調整手段）
２６  表示制御部（表示制御手段）
１００、１００Ａ、１００Ｂ、１００Ｃ  スマートフォン（表示装置）
３００、３００ａ１、３００ａ２  画像領域
３０１  注視領域（有効区画）
３０１ａ  本文の表示領域（有効領域）
５０１  件名の表示領域（無効領域）
Ｓ１０２、Ｓ２０２  検出ステップ
Ｓ１０３、Ｓ２０３、Ｓ３０１  頻度調整ステップ
Ｓ１０４、Ｓ２０４、Ｓ３０２  表示制御ステップ
【図１】
2014032328.tif 000003
【図２】
2014032328.tif 000004
【図３】
2014032328.tif 000005
【図４】
2014032328.tif 000006
【図５】
2014032328.tif 000007
【図６】
2014032328.tif 000008
【図７】
2014032328.tif 000009
【図８】
2014032328.tif 000010